(57)【特許請求の範囲】
【請求項１】
それぞれ平板状のフィルタ−を備えた複数の単位フィルタ−枠部材をヒンジ部で連結して折り曲げ自在とし、湾曲した取付先に取り付けられる空気清浄フィルタ−において、
前記単位フィルタ−枠部材に設けた複数の係止爪に前記平板状のフィルタ−に設けた複数の係止穴をそれぞれ嵌め合せることにより、前記平板状のフィルタ−を前記単位フィルタ−枠部材に取付け、
前記連結した単位フィルタ−枠部材の隣り合う側部に渡って、前記ヒンジ部での自重による折れ曲がりを抑制しつつ弾性変形可能な補強部材を設け、
前記複数の単位フィルタ−枠部材が、前記取付先の湾曲に沿って前記ヒンジ部で折り曲げられつつ連なって前記取付先に取り付けられることを特徴とする空気清浄フィルタ−。
【請求項２】
前記補強部材は、帯状の部材であることを特徴とする請求項１記載の空気清浄フィルタ−。
【請求項３】
空気吸込部及び空気吹出部を有するパネル内に、熱交換器及び送風機を備え、前記空気吸込部から吸込んだ空気を空気清浄フィルタ−を通し、前記熱交換器で冷媒と熱交換し、前記空気吹出部から吹出す空気調和機において、
前記空気清浄フィルタ−を取付ける湾曲したガイド部を備え、
前記空気清浄フィルタ−は、前記請求項１又は請求項２に記載の空気清浄フィルタ−であることを特徴とする空気調和機。
【発明の詳細な説明】
【０００１】
【発明の属する技術分野】
この発明は、空気清浄フィルタ−及び空気清浄フィルタ−を用いた空気調和機に関するものである。
【０００２】
【従来の技術】
図２は、空気清浄フィルタ−を装着する空気調和機を示す斜視図である。また、図９は、従来の空気清浄フィルタ−の分解図である。また、図１０は、従来の空気清浄フィルタ−を示す図である。また、図１１は、従来の空気調和機の梱包状態を示す図である。
図において、１は空気調和機、２はパネル、３は、パネルに設けられ、空気清浄フィルタ−を挿入する彎曲したガイド部、４は、図示を省略した内蔵する送風機により、空気調和機１に空気を取り込む空気吸込部、５は、取り込んだ空気を図示を省略した内蔵する熱交換器を通して、加温又は冷却等して吹き出す空気吹出部である。
２１は、歪曲した空気清浄フィルタ−であり、２２の平板状のフィルタ−を湾曲したフレ−ム２４に搭載し、同じく湾曲したフレ−ムカバ−２５で、ヒンジ部２６で折り曲げ、カバ−して作成する。その際、フレ−ム２４とフレ−ムカバ−２５は、それぞれ設けられている固定爪２９と角穴３０とで係止される。
【０００３】
この構造では、まず複数の平板状フィルタ−２２をフレ−ム２４の外形に合せて配置し、フレ−ムカバ−２５をヒンジ部２６を支点として回転させ、挟み込む。この際、フレ−ム２４の複数の固定爪２９がフレ−ムカバ−２５の複数の角穴３０に挿入係止され、フィルタ−２２はフレ−ム２４とフレ−ムカバ−２５とに挟みこまれることにより、フレ−ム２４への取付けが完了する。この時点で、空気清浄フィルタ−は湾曲形状となる。
【０００４】
次に、フレ−ム２４の取手３１をつまみフレ−ム２４をパネル２の彎曲したガイド部３に沿って押し込むことにより、パネル２に装着する。
また、空気清浄フィルタ−２１を標準装備した空気調和機１は、製造場所から製品出荷するときは、空気清浄フィルタ−２１をポリ袋等に収納して、空気調和機１の背面に配置して梱包し、輸送する。これは、ユ−ザ−が使用するまでの間は、空気清浄フィルタ−２１の性能の低下を防止するため、ポリ袋等に収納するが、その状態でのパネル２への装着はガイド部３への嵌合がむつかしいので、図１１に示すように、空気調和機１の背面に配置して空気調和機１と同時に梱包する。空気清浄フィルタ−２１は、歪曲しているため、梱包しにくく、かつ梱包が大きくなる。
【０００５】
【発明が解決しようとする課題】
このように従来の空気調和機１の空気清浄フィルタ−２１は、空気清浄フィルタ−２１のフレ−ム２４の湾曲に倣って彎曲しているので、彎曲したガイド部３へ挿入するとき、湾曲度が合わないこと及び彎曲によりかさ張ること等のため、パネル２への装着作業性が悪い。また、輸送時には梱包が大きくなり、梱包材の使用量も増加する。
【０００６】
本発明は、前記のような問題点を解消するためになされたものであり、湾曲したガイド部への装着が容易な空気清浄フィルタ−を得ることを目的とする。
また、廃却が容易な空気清浄フィルタ−を得ることを目的とする。
また、かさばらず、梱包、保管及び輸送が容易な空気清浄フィルタ−を得ることを目的とする。
また、前記の空気清浄フィルタ−を取り付けた品質の高い、高性能の空気調和機を得ることを目的とする。
【０００７】
【課題を解決するための手段】
本発明の請求項１に係る空気清浄フィルタ−は、それぞれ平板状フィルタ−を備えた複数の単位フィルタ−枠部材をヒンジ部で連結して折り曲げ自在とし、湾曲した取付先に取り付けられる空気清浄フィルタ−において、単位フィルタ−枠部材に設けた複数の係止爪に平板状のフィルタ−に設けた複数の係止穴をそれぞれ嵌め合せることにより、平板状のフィルタ−を単位フィルタ−枠部材に取付け、前記連結した単位フィルタ−枠部材の隣り合う側部に渡って、前記ヒンジ部での自重による折れ曲がりを抑制しつつ弾性変形可能な補強部材を設け、前記複数の単位フィルタ−枠部材が、前記取付先の湾曲に沿って前記ヒンジ部で折り曲げられつつ連なって前記取付先に取り付けられるものである。
【０００８】
また、本発明の請求項２に係る空気清浄フィルタ−は、請求項１記載の空気清浄フィルタ−において、連結した単位フィルタ−枠部材の隣り合う側部に渡って、弾性変形可能な補強部材を設けたものである。
【００１１】
また、本発明の請求項４に係る空気調和機は、空気吸込部及び空気吹出部を有するパネル内に、熱交換器及び送風機を備え、空気吸込部から吸込んだ空気を空気清浄フィルタ−を通し、熱交換器で冷媒と熱交換し、空気吹出部から吹出す空気調和機において、空気清浄フィルタ−を取付ける湾曲したガイド部を備え、空気清浄フィルタ−は、前記請求項１〜請求項３のいずれか１項に記載の空気清浄フィルタ−としたものである。
【００１２】
また、本発明の請求項６に係る空気調和機は、請求項５の空気調和機において、空気清浄フィルタ−が、それぞれ平板状のフィルタ−を備えた複数の単位フィルタ−枠部材をヒンジ部で連結して折り曲げ自在としたものであって、該空気清浄フィルタ−をガイド部に取付けることにより、ヒンジ部の折り曲がりによりガイド形状に倣って湾曲形状となるものである。
【００１３】
また、本発明の請求項７に係る空気調和機は、請求項５の空気調和機において、単板状の空気清浄フィルタ−であって、該空気清浄フィルタ−をガイド部に取付けるとき、空気清浄フィルタ−が全体としてガイド形状に倣って湾曲形状となるものである。
【００１４】
また、本発明の請求項８に係る空気調和機は、請求項６の空気調和機において、空気清浄フィルタ−が、請求項１〜請求項４のいずれか１項に記載のものとしたものである。
【００１５】
【発明の実施の形態】
実施の形態１．
以下、本発明の実施の形態１を図１、図２及び図３により説明する。
図1は、実施の形態１の空気清浄フィルタ−の分解図である。図２は、空気清浄フィルタ−を装着する空気調和機の斜視図である。また、図３は、実施の形態１の空気清浄フィルタ−及び空気調和機の梱包状態を示す図である。
図において、１は、空気調和機であり、２は、意匠パネル等のパネルである。３は、パネルに設けられ、空気清浄フィルタ−を挿入し、装着するガイド部、４は、図示を省略した内蔵する送風機により、空気調和機１に空気を取り込む空気吸込部、５は、取り込んだ空気を図示を省略した内蔵する熱交換器を通して、加温又は冷却等して吹き出す空気吹出部である。
【００１６】
また、８は、平板状の単位フィルタ−枠部材であり、複数の単位フィルタ−枠部材８が屈曲自在のヒンジ部９で連結されている。８ａは単位フィルタ−枠部材８に形成された枠であり、８ｂは枠８ａ内に形成された係止爪である。図1では、横長の３個の単位フィルタ−枠部材８がヒンジ部９で連結され、各単位フィルタ−枠部材８の枠８ａ内には長手方向に３個の係止爪８ｂが形成されている。
１５は、平板状のフィルタ−であり、長手方向に３個の係止穴である角穴１５ａが形成されている。各単位フィルタ−枠部材８の枠８ａ内に平板状のフィルタ−１５を嵌め込む。その際、３個の係止穴１５ａをそれぞれ、３個の係止爪８ｂに嵌め合わせて固定する。
１１は、単位フィルタ−枠部材８に形成した取手であり、連結した単位フィルタ−枠部材８の最端部に設けている。
【００１７】
次に、空気清浄フィルタ−の製作を説明する。
外形を合せた平板状のフィルタ−１５を単位フィルタ−枠部材８の枠８ａ内に押し入れる。この時、単位フィルタ−枠部材８の３個の角状の係止爪８ｂが平板状のフィルタ−１５の３個の角穴である係止穴１５ａに挿入させることにより、平板状のフィルタ−１５を単位フィルタ−枠部材８に取付け、固定する。残りの２個の単位フィルタ−枠部材８も同様に、それぞれ平板状のフィルタ−１５を取付け、固定することで、ヒンジ部９で連結され、それぞれ平板状のフィルタ−１５を取付けた３個の空気清浄フィルタ−７が完成する。この空気清浄フィルタ−７は、ヒンジ部９で折り曲げ可能であるが、空気清浄フィルタ−７としては平板状である。
【００１８】
空気清浄フィルタ−７の空気調和機１の湾曲したガイド部３への装着は次のように行う。
空気清浄フィルタ−７の取手１１を掴んで、パネル２のガイド部３に沿って空気清浄フィルタ−７の先端の単位フィルタ−枠部材８を押し込む。この時、平板状の単位フィルタ−枠部材８はガイド部３に沿って、ヒンジ部９で屈曲しながら押し込まれ、３個の連結された単位フィルタ−枠部材８はパネル２のガイド部３に装着完了時には全体的に湾曲形状となる。
よって、平板状の単位フィルタ−枠部材８をヒンジ部９で彎曲させながらガイド部３に挿入取り付けることができるので、容易に湾曲状に装着可能である。
また、取り外す時は、取手１１を掴んで引っ張り出すことによって取り出すことができる。取り出すことにより、空気清浄フィルタ−７は、再び平板状となる。
【００１９】
本実施の形態の空気清浄フィルタ−７は、空気調和機１に湾曲状に容易に装着できるとともに、従来の湾曲したフレ−ムに比べて、単位フィルタ−枠部材８が平板状であるため、製作も容易であり、安価に製作できる。
また、平板状のフィルタ−１５自体では彎曲しにくく、例えば、厚さの厚いフィルタ−とかハニカム状フィルタ−等を使用しても容易に湾曲した空気清浄フィルタ−７が得られ、高性能なフィルタ−を備えた空気調和機１が得られる。
【００２０】
また、空気清浄フィルタ−７を標準装備した空気調和機１で、製造場所から製品出荷するとき、空気清浄フィルタ−７の性能の低下を防止するため、空気清浄フィルタ−７をポリ袋等に収納して、空気調和機１の背面に配置して梱包し、輸送する場合、空気清浄フィルタ−７は平板状であるので、空気調和機を梱包する際に、図３に示すように、空気清浄フィルタ−７の収納スペ−スが小さくなり、梱包が容易となり、保管、輸送等が容易になる。
【００２１】
なお、図１では、空気清浄フィルタ−７を３個の単位フィルタ−枠部材８で構成しているが、２個でも４個以上でもよく、また、図１では、単位フィルタ−枠部材８は３個とも、連結方向と直角方向を長手としているが、これに限ったものではなく、連結方向が長手方向のものが混在してもよい。但し、複数の連結単位フィルタ−枠部材８のうち、少なくとも１個は連結方向と直角方向を長手のものとし、特に湾曲度の大きい部分に対応するようにするのが望ましい。
また、空気清浄フィルタ−７は、ヒンジ部９で折り曲げることにより、平板状で、コンパクトになり、保管及び輸送が一層容易となる。
さらに、図１においては、３個の単位フィルタ−枠部材８に、それぞれ平板状のフィルタ−１５を取付けているが、取付ける平板状のフィルタ−１５がヒンジ部９の屈曲に対応して湾曲する場合は、単位フィルタ−枠部材８の枠８ａを２個分の単位フィルタ−枠部材８又は３個分の単位フィルタ−枠部材８にまたがるように拡大して、それぞれ２個分の大きさの平板状フィルタ−１５と１個分の平板状フィルタ−１５を取付ける又は３個分の大きさの平板状フィルタ−１５を一度に取付けるようにしてもよい。
【００２２】
実施の形態２．
図４は実施の形態２の空気清浄フィルタ−の分解図である。
図において、１３ａは、円柱状のボス部であり、単位フィルタ−枠部材８の側部８ｃから突出するように形成している。１３ｂは、弾性変形可能な帯部であり、隣り合う単位フィルタ−枠部材８の側部８ｃのボス部１３ａに設けた穴を通すことにより、各ボス部を連結している。これらのボス部１３ａと帯部１３ｂとで補強部材１３を構成する。これらのボス部１３ａ及び帯部１３ｂから成る補強部材１３は、連結した単位フィルタ−枠部材８の両側の側部８ｃに設ける。これ以外の構造は、実施の形態１と同じである。
【００２３】
このように補強部材１３を設けると、前記の実施の形態１と同様に空気清浄フィルタ−を作成し、この空気清浄フィルタ−７の取手１１を掴んでパネル２のガイド部３へ装着するとき、単位フィルタ−枠部材８は、ガイド部３に沿ってヒンジ部９で屈曲しながら押し込まれ、帯部１３ｂは徐々に変形し、装着完了時には、湾曲形状となる。この補強部材１３は、空気清浄フィルタ−７の取手１１を掴んでパネル２のガイド部３へ装着するとき、平板状の単位フィルタ−枠部材８の自重によりヒンジ部９での折れ曲がり等による装着作業性に支障をきたすことを防止することができる。
また、帯部１３ｂの材質を選択したり、板厚を変化させえることにより補強部材１３の弾力性を調整できるので、適切な弾性力の、即ち、ガイド部３の湾曲に倣って容易に湾曲し、かつ、挿入時に折れ曲がって作業性に支障をきたさない適切な弾性力の空気清浄フィルタ−７を得ることができる。
【００２４】
なお、補強部材１３は、図４に示すようにすべての単位フィルタ−枠部材８間に設ける必要はなく、任意に隣り合う単位フィルタ−枠部材８間に設けてもよい。
さらに、補強部材１３は、帯部１３ｂをボス部１３ａから抜き、各単位フィルタ−部材８をヒンジ部９で折りたたむことにより、コンパクトにでき、保管及び輸送が容易となる。
単位フィルタ−部材８の側部８ｃに補強部材の取付け方は、記載のものに限らず、本主旨に適うものであればいずれでもよい。
【００２５】
実施の形態３．
図５は、実施の形態３の空気清浄フィルタ−の分解図である。
図において、９ａは、ヒンジ部９に設けた穴部であり、ヒンジ部９を長手方向に分割している。
【００２６】
空気清浄フィルタ−７の製作及び空気調和機１への装着は実施の形態１と同様である。
本実施の形態の空気清浄フィルタ−７は、空気清浄フィルタ−７を廃却するとき、ヒンジ部９で容易に切断しやすくなり、連結した単位フィルタ−枠部材８を容易に分割できる。
穴部９ａの数、大きさ等は適切に行う。
当然、実施の形態２の補強部材１３を取付けてもよい。補強部材１３を取付けた場合は、廃却時は補強部材１３を取り外して行う。
【００２７】
実施の形態４．
図６は、実施の形態４の空気清浄フィルタ−７を説明するための図である。図７は、空気清浄フィルタ−及び空気調和機の梱包状態を示す図である。
図において、取手１１のある単位フィルタ−枠部材８は、平板状のフィルタ−１５を第２の面側８ｅから取付ける。その他の２個の単位フィルタ−部材８は、反対側の第１の面側８ｄから取付ける（図６においては、１個の平板状のフィルタ−１５としているが、当然、２個の単位フィルタ−枠部材８に、２個の平板状のフィルタ−１５をそれぞれ取付けてもよい）。単位フィルタ−枠部材８の係止爪８ｂは、平板状のフィルタ−１５を取付ける側に形成されている。
また、図６に示すように、ヒンジ部９で連結した複数の単位フィルタ−枠部材８から成る空気清浄フィルタ−７は、少なくとも1箇所のヒンジ部９で１８０度に折り曲げ可能である。
その他は実施の形態１と同じである。
【００２８】
このようにすることにより、空気清浄フィルタ−７をヒンジ部９で折り曲げることにより、図７に示すように空気清浄フィルタ−７及び空気調和機１の梱包時にコンパクトにできる。又、梱包時に、空気清浄フィルタ−７が空気調和機１の幅寸法内に収めることができなくても、折り曲げることにより空気調和機１の幅寸法内に収めることができる。よって、保管、梱包及び輸送が容易となる空気清浄フィルタ−７及び空気調和機１を得ることが可能となる。
また、平板状のフィルタ−１５を厚手のものを使用した空気清浄フィルタ−７としても、平板状のフィルタ−１５を異なる面側に係止した両単位フィルタ−枠部材８を連結しているヒンジ部９で比較的容易に１８０度に折り曲げることができ、同じくコンパクト化が可能となる。
また、厚手の平板状のフィルタ−１５として、ハニカム状フィルタ−等高性能なフィルタ-の使用が可能となり、空気調和機の品質、性能も向上する。
なお、図６においては、取手１１のある単位フィルタ−枠部材８以外の２個の単位フィルタ−枠部材８には、２個分の大きさの平板状のフィルタ−１５が１個取付けられるようになっているが、取付ける平板状のフィルタ−１５がヒンジ部９の屈曲に対応して湾曲する場合は、このように単位フィルタ−枠部材８の枠８ａを２個の単位フィルタ−枠部材８にまたがるように拡大して、２個分の平板状フィルタ−１５を一度に取付けてもよい。
また、図６では、平板状のフィルタ−１５を第１の面側及び第２の面側と変えて取付けているが、特に平板状のフィルタ−１５の厚さ等を考慮する必要がない場合は、実施の形態１と同じく、一方の側から取付けるようにしても良い。
本実施の形態も前記の実施の形態２、３に記載の技術を適用できる。
【００２９】
参考例．
図８は、参考例の空気清浄フィルタ−を説明するための図である。
図において、１７は、係止穴１７ａを有する平板状のフィルタ−であるが、本フィルタ−はフィルタ−自身がある程度の弾力性を有し、空気調和機１の湾曲したガイド部３に押し込むとき、ガイド部３の湾曲に倣って湾曲変形できるものである。また、この平板状のフィルタ−は、空気調和機１から取り外したときは、元の平板状となるものである。
本参考例では、単板状であって、弾力性があり、湾曲可能な平板状のフィルタ−１７が空気清浄フィルタ−７である。
１８は、フィルタ−キャッチャ−であり、取手１１を有するとともに、固定部１８ａがあり、固定部１８ａの弾力性のある爪を開いて、平板状のフィルタ−１７の２個の係止穴１７ａ挟み込む。
【００３０】
本参考例の空気清浄フィルタ−７の空気調和機１への装着は、平板状のフィルタ−１７をフィルタ−キャッチャ−１８に取り付け、フィルタ−キャッチャ−１８の取手１１を掴んで、平板状のフィルタ−１７を空気調和機１のガイド部３に挿入する。押し込むにつれて、平板状のフィルタ−１７がガイド部３の湾曲にしたがって、湾曲し装着される。
フィルタ−キャッチャ−１８は、装着後に取り外しても、そのままにしておいてもよい。
また、取り外すときは、フィルタ−キャッチャ−１８を掴んで引っ張り出す。取り出すことにより、空気清浄フィルタ−７は、再び平板状となる。
平板状のフィルタ−１７としては、メッシュ等を金網で挟んだフィルタ−等が使用できる。比較的薄手の空気清浄フィルタ−７が本参考例には適合する。
【００３１】
本参考例によれば、空気清浄フィルタ−７として、単位フィルタ−枠部材８等が必要なく、安価な空気清浄フィルタ−が得られる。また、取り外し時は、平板状のフィルタ−であるため、梱包時にコンパクトに包装でき、保管及び輸送が容易である。
フィルタ−キャッチャ−１８は、クリップ状のもので係止穴のない平板状のフィルタ−１７の端部を挟むものでもよい。さらに、特にフィルタ−キャッチャ−１８などは使用せずに、直に手で平板状のフィルタ−１７を掴んで装着してもよい。
【００３２】
本発明の単位フィルタ−枠部材８、これらを連結するヒンジ部９、取手１１及び補強部材１３のボス部１３ａ等は、樹脂の一体成形で製作すると容易に、安価に製作できる。
【００３３】
【発明の効果】
本発明の請求項１に係る空気清浄フィルタ−は、それぞれ平板状フィルタ−を備えた複数の単位フィルタ−枠部材をヒンジ部で連結して折り曲げ自在とし、湾曲した取付先に取り付けられる空気清浄フィルタ−において、単位フィルタ−枠部材に設けた複数の係止爪に平板状のフィルタ−に設けた複数の係止穴をそれぞれ嵌め合せることにより、平板状のフィルタ−を単位フィルタ−枠部材に取付け、前記複数の単位フィルタ−枠部材が、前記取付先の湾曲に沿って前記ヒンジ部で折り曲げられつつ連なって前記取付先に取り付けられるように構成したので、空気調和機の湾曲したガイド部に装着するとき、平板状の単位フィルタ−枠部材をヒンジ部で湾曲させながら挿入でき、容易に湾曲した状態に装着できる。また、平板状のフィルタ−の係止穴を単位フィルタ−枠部材の係止爪に嵌め合せることで、容易に空気清浄フィルタ−が製作できる。さらに、単位フィルタ−枠部材が平板状であるので、容易に、安価に製作できる。
【００３４】
また、本発明の請求項２に係る空気清浄フィルタ−は、請求項１記載の空気清浄フィルタ−において、連結した単位フィルタ−枠部材の隣り合う側部に渡って、弾性変形可能な補強部材を設けたので、自重によりヒンジ部で折れ曲がることを防止でき、かつ補強部材が弾性変形可能であるので、空気清浄フィルタ−を空気調和機の湾曲したガイドイ部に装着するとき、より容易に装着可能である。
【００３７】
また、本発明の請求項３に係る空気調和機は、空気吸込部及び空気吹出部を有するパネル内に、熱交換器及び送風機を備え、空気吸込部から吸込んだ空気を空気清浄フィルタ−を通し、熱交換器で冷媒と熱交換し、空気吹出部から吹出す空気調和機において、空気清浄フィルタ−を取付ける湾曲したガイド部を備え、空気清浄フィルタ−は、前記請求項１又は請求項２に記載の空気清浄フィルタ−としたものである。このため、従来のように、空気調和機の湾曲したガイド部に装着する空気清浄フィルタ−は、装着前にあらかじめ湾曲させておく必要がなく、装着時の取扱いが容易であるとともに、取り外し時は平板状であるため、省スペ−スとなり、梱包、保管及び輸送が容易となり、品質の高い空気調和機が得られる。
【図面の簡単な説明】
【図１】  本発明の実施の形態１の空気清浄フィルタ−の分解図。
【図２】  空気清浄フィルタ−を装着する空気調和機の斜視図。
【図３】  本発明の実施の形態１の空気清浄フィルタ−及び空気調和機の梱包状態を示す図。
【図４】  本発明の実施の形態２の空気清浄フィルタ−の分解図。
【図５】  本発明の実施の形態３の空気清浄フィルタ−の分解図。
【図６】  本発明の実施の形態４の空気清浄フィルタ−を説明するための図。
【図７】  本発明の実施の形態４の空気清浄フィルタ−及び空気調和機の梱包状態を示す図。
【図８】 本発明の参考例の空気清浄フィルタ−を説明するための図。
【図９】  従来の空気清浄フィルタ−の分解図。
【図１０】  従来の空気清浄フィルタ−を示す斜視図。
【図１１】  従来の空気清浄フィルタ−及び空気調和機の梱包状態を示す図。
【符号の説明】
１  空気調和機、２  パネル、３  ガイド部、４  空気吸込部、５  空気吹出部、７  空気清浄フィルタ−、８  単位フィルタ−枠部材、８ａ  単位フィルタ−枠部材の枠、８ｂ  係止爪、８ｃ  単位フィルタ−枠部材の側部、８ｄ  第1の面側、８ｅ  第２の面側、９  ヒンジ部、９ａ  穴部、１３  補強部材、１５  平板状のフィルタ−、１５ａ  係止穴、１７  平板状のフィルタ−、１７ａ  係止穴。
【図１】
0004598318.tif 000002
【図２】
0004598318.tif 000003
【図３】
0004598318.tif 000004
【図４】
0004598318.tif 000005
【図５】
0004598318.tif 000006
【図６】
0004598318.tif 000007
【図７】
0004598318.tif 000008
【図８】
0004598318.tif 000009
【図９】
0004598318.tif 000010
【図１０】
0004598318.tif 000011
【図１１】
0004598318.tif 000012